(57)【要約】【課題】物質交換と物質の搬送を根本的に改善し、製造と組み立てが容易な物質交換装置を創出する。【解決手段】ロータ内で液体とガスの間の物質交換を生じるための装置であって、液体はロータの中央で運ばれ、ロータの回転によって生じた遠心力によって外方へ移動させられ、ガスはロータの周りにあってロータにおける液体の流れと反対にガス圧によってロータを通って内方へ移動させられ、ロータはロータの面にある複数の経路を備えて構成され、これら経路はロータの中心で始まり、ロータの外周で終端し、経路各々は液体とガスの接触範囲を増加するパッキングで充填されている。【選択図】図１
2019051506.tif 000002
【特許請求の範囲】
【請求項１】
ロータ（１）の内側で液体とガスの間の物質交換を生じるための装置であって、前記液体が前記ロータの中央で運ばれ、前記ロータの回転によって生じた遠心力によって外方へ移動させられ、前記ガスが前記ロータの周りにあって前記ロータにおける液体の流れと反対にガス圧によって前記ロータを通って内方へ移動させられる、装置において、
前記ロータ（１）がロータ面にある複数の経路（７）を備えて構成され、これら経路がロータの中心（９）で始まり、ローラの外周（８）で終端し、前記経路各々が、液体とガスの間の接触範囲を増加するパッキングで満たされていることを特徴とする、装置。
【請求項２】
前記経路（７）が、前記ロータ（１）にて半径方向に或いは傾いて配置されている複数の金属製若しくはプラスチック製の管（６）によって形成されていることを特徴とする、請求項１に記載の装置。
【請求項３】
前記経路（７）、特に管状の経路にて取り囲まれたパッキングが織り状、編み状、メッシュ状又は格子状の形状をとり、特に滑らかであるか構造付与されていることを特徴とする、請求項１又は２に記載の装置。
【請求項４】
前記経路（７）、特に管状の経路にて取り囲まれたパッキングが金属で構成され、特にシート状の構造付与された金属から形成され、又はプラスチック若しくはガラス繊維から構成されていることを特徴とする、請求項１〜３のいずれか一項に記載の装置。
【請求項５】
前記経路（７）又は管（６）の内側端部が、液体を運ぶ同軸の内側空間（９）を形成することを特徴とする、請求項１〜４のいずれか一項に記載の装置。
【請求項６】
前記管（６）／経路（７）がロータ（１）内に、特にロータの中心に配置されており、それでロータを流過する液体が前記経路を通ってのみ流れることを特徴とする、請求項１〜５のいずれか一項に記載の装置。
【請求項７】
前記経路（７）若しくは管（６）の外側端部が、ロータの外側の円筒形環状表面（８）で終端していることを特徴とする、請求項１〜６のいずれか一項に記載の装置。
【請求項８】
前記ロータ（１）が１〜３２の、好ましくは４〜８の経路、特に管（６）を備えて構成されていることを特徴とする、請求項１〜７のいずれか一項に記載の装置。
【請求項９】
前記ロータ（１）が２つの円形側面（２、３）を備えて構成され、これら側面に対してロータ（１）の回転軸が垂直に延び、これら側面がこれら側面の間で経路（７）、特に管（６）を配置する空間（４）を形成することを特徴とする、請求項１〜８のいずれか一項に記載の装置。
【請求項１０】
前記管（６）／経路（７）が外方へ連続的に若しくは段状に延びることを特徴とする、請求項１〜９のいずれか一項に記載の装置。
【請求項１１】
前記管（６）／経路（７）が個々の、別々の部分から組み立てられていることを特徴とする、請求項１〜１０のいずれか一項に記載の装置。
【発明の詳細な説明】
【技術分野】
【０００１】
本発明は、ロータ内で液体とガスの間の物質交換を生じるための装置に関するもので、液体はロータの中央で運ばれ、ロータの回転によって生じた遠心力によって外方へ移動させられ、ガスはロータの周りにあってロータにおける液体の流れと反対にガス圧によってロータを通って内方へ移動させられる。
【背景技術】
【０００２】
特許文献１や特許文献２は、２つの側面を有するロータを備えた物質交換機を開示する。その際、両側面の間の空間に、ロータが回転する際に中央に運ばれた液体を外方へ移動するパッキングが位置している。ここで、ロータはガスによって取り囲まれ、液体とガスの間の物質交換を生じるために、ガスはガス圧のために液体と反対にローラを通って流れる。
【先行技術文献】
【特許文献】
【０００３】
【特許文献１】ＷＯ ２０１５／１０１８２６ Ａ１
【特許文献２】ＷＯ ２０１６／０３８４８０ Ａ１
【発明の概要】
【発明が解決しようとする課題】
【０００４】
本発明の課題は、物質交換と物質の搬送を根本的に改善し且つ製造及び組み立てが容易である前記タイプの装置を創出することにある。
【課題を解決するための手段】
【０００５】
本発明によれば、この課題は、ロータがロータ面にある複数の経路を備えて構成され、これら経路がロータの中心で始まり、ローラの外周で終端し、前記経路各々が、液体とガスの間の接触範囲を増加するパッキングで満たされていることで解決される。
【０００６】
ロータ内の半径方向経路若しくは傾いた角度の経路の内部でロータパッキングを個々のパッキング範囲に分けることによって、製造と組み立てが容易なロータでの特に正確で効果的な物質交換が可能となる。
【０００７】
このために、経路、特に管状経路に取り囲まれたパッキングで織り形状、編み形状、メッシュ形状又は格子形状であれば特に有利である。ここで、経路、特に管状経路に取り囲まれたパッキング、特に滑らかなパッキング若しくは構造付与されたパッキングは、金属で構成され、特にシート状構造金属から形成され、又はプラスチック若しくはガラス繊維で構成されている。
【０００８】
好ましくは、経路若しくは管路の内側端部が液体を運ぶ内側の同軸空間を形成することが提案される。ここで管路／経路がロータ内、特にロータの中心に配置され、ロータを通って流れる液体が経路を通ってのみ流れるならば、有利である。
【０００９】
経路若しくは管路の外側端部がロータの外側の円筒形環状面で終端するならば、また有利である。ロータは好ましくは、１〜３２、好ましくは４〜８の経路、特に管路を備えて構成される。
【００１０】
製造容易な単純なロータにおいて、ロータは２つの円形側面を備えて構成され、これら側面に対してロータの回転軸が垂直に延び、これら側面がこれらの間で、経路、特に管路が配置された空間を形成する。管路／経路はまた、連続的に、あるいは段状に外方へ延びてもよい。管路／経路は更に、個々のばらばらな部分から組み立てられてもよい。
本発明に係るロータの有利な展開の斜視図が、２つの図面に示される。
【図面の簡単な説明】
【００１１】
【図１】２つの側面／円板を備えたロータの斜視図である。
【図２】側面／円板の一方が取り除かれたローラの斜視図である。
【発明を実施するための形態】
【００１２】
物質交換機は、図１に係る実施形態においては、２つの互いに同軸で平行な円形の側面２、３若しくは等しい径の側方円板を有するロータ１を備えて構成され、これら側面／円板はそれらの間で一定の幅の狭い空間を形成している。両方の側面／円板２、３は図示しないが、中央軸に垂直に固定され、各々、中央開口５を備えて構成されている。
【００１３】
経路７を形成する複数の管６は、２つの側面／円板２、３の間の空間４において半径方向乃至放射状に固定されている。半径方向の管はそれらの内側端部でもって開口５の縁で始まり、それらの外側端部でもってロータ１の外側の同軸円筒形環状表面８で終端する。開口５と共に管／経路の内側端部は内側の同軸の内部空間９を形成し、この中に液体が運ばれる。管６の外側端部はロータの外側の円筒形環状表面８で終端する。これによって、ロータを流過する液体が経路のみを通って流れるように、管６／経路７がロータ１内に、特にロータの中心に配置されることが保証される。
【００１４】
管６のすべてはパッキング（図示せず）によって満たされており、その機能は、特に物質交換を最適化するために、内部空間９に運ばれる液体と外部で作用するガスとの接触範囲を増加することにある。経路７、特に管状の経路に取り囲まれたパッキングは、好ましくは、織り状、編み状、メッシュ状又は格子状の形態をしている。ここで（特に管状の）経路７に取り囲まれたパッキングは、金属、特にシート状の構造付与された金属（構造金属）、又はプラスチック若しくはガラス繊維で構成されている。
【００１５】
経路７はロータ１内で半径方向に、若しくは傾いて配置された金属製若しくはプラスチック製の複数の管６から形成される。２つの例示的な実施形態において、８つの管／経路が円板／側面２の間に固定されている。その数は１〜３２の管／経路の範囲である。
【００１６】
図示しない実施形態において、管６／経路７は外方へ連続的若しくは段状に延びる。更に管６／経路７は個々の、別々の部分から組み立てられてもよい。
【符号の説明】
【００１７】
１  ロータ
２、３  側面
４  空間
６  管
７  経路
８  ロータ外周
９  内部空間
【図１】
2019051506.tif 000003
【図２】
2019051506.tif 000004